(57)【要約】【課題】車両内に搭載された表示装置の画面表示をコンテンツの印象に合わせて変更することができる表示制御装置、表示制御システムおよび車内表示制御方法を提供する。【解決手段】印象語とこれに対応する色情報が登録された色選択用データに基づいてコンテンツの印象語に対応する色情報を選択し、印象語とこれに対応する画面デザインが登録されたスキン選択用データに基づいてコンテンツの印象語に対応する画面デザインを選択し、選択された色情報と画面デザインに基づいてＩＣ９やセンターディスプレイ１０などの画面表示を変更する。【選択図】図１
2015182482.tif 000002
【特許請求の範囲】
【請求項１】
車両内に搭載された表示装置の表示を制御する表示制御装置であって、
前記車両内で再生中のコンテンツの属性情報を抽出する属性情報抽出部と、
前記属性情報から前記コンテンツの印象を表す印象語を抽出する印象語抽出部と、
印象語とこれに対応する色情報が登録された色選択用データに基づいて前記コンテンツの印象語に対応する色情報を選択する色情報選択部と、
印象語とこれに対応する画面デザインが登録されたスキン選択用データに基づいて前記コンテンツの印象語に対応する画面デザインを選択するスキン選択部と、
前記色情報選択部に選択された色情報と前記スキン選択部に選択された画面デザインで前記表示装置の画面表示を変更する表示処理部とを備える表示制御装置。
【請求項２】
前記属性情報を検索する情報検索部を備え、
前記印象語抽出部は、前記情報検索部に検索された属性情報から印象語を抽出することを特徴とする請求項１記載の表示制御装置。
【請求項３】
前記コンテンツに関連する画像情報から色情報を解析する色情報解析部を備え、
前記色情報選択部は、前記画像情報から解析された色情報を選択するとともに、前記色選択用データを用いて前記画像情報から解析された色情報に対応する印象語を特定し、
前記スキン選択部は、前記色情報選択部に特定された印象語に対応する画面デザインを前記スキン選択用データから選択することを特徴とする請求項１記載の表示制御装置。
【請求項４】
車両情報に基づいて前記車両の運転状況を判定する運転状況判定部と、
前記運転状況判定部に判定された運転状況に応じて前記表示装置の画面表示の変更可否と変更方法を決定する変更方法決定部とを備え、
前記表示処理部は、前記変更方法決定部に変更不可と決定された場合、前記表示装置の画面表示を変更せず、変更可と決定された場合は、前記変更方法決定部に決定された前記変更方法で、前記色情報選択部に選択された色情報と前記スキン選択部に選択された画面デザインで前記表示装置の画面表示を変更することを特徴とする請求項１記載の表示制御装置。
【請求項５】
車両内に搭載された表示装置と、
前記車両内で再生中のコンテンツの属性情報を抽出する属性情報抽出部と、
前記属性情報から前記コンテンツの印象を表す印象語を抽出する印象語抽出部と、
印象語とこれに対応する色情報が登録された色選択用データに基づいて前記コンテンツの印象語に対応する色情報を選択する色情報選択部と、
印象語とこれに対応する画面デザインが登録されたスキン選択用データに基づいて前記コンテンツの印象語に対応する画面デザインを選択するスキン選択部と、
前記色情報選択部に選択された色情報と前記スキン選択部に選択された画面デザインで前記表示装置の画面表示を変更する表示処理部とを備える表示制御システム。
【請求項６】
車両内に搭載された表示装置の表示を制御する表示制御方法であって、
属性情報抽出部が前記車両内で再生中のコンテンツの属性情報を抽出するステップと、
印象語抽出部が前記属性情報から前記コンテンツの印象を表す印象語を抽出するステップと、
色情報選択部が、印象語とこれに対応する色情報が登録された色選択用データに基づいて前記コンテンツの印象語に対応する色情報を選択するステップと、
スキン選択部が、印象語とこれに対応する画面デザインが登録されたスキン選択用データに基づいて前記コンテンツの印象語に対応する画面デザインを選択するステップと、
表示処理部が、前記色情報選択部に選択された色情報と前記スキン選択部に選択された画面デザインで前記表示装置の画面表示を変更するステップとを備える表示制御方法。
【発明の詳細な説明】
【技術分野】
【０００１】
この発明は、例えば、インストルメントクラスタ（以下、ＩＣと略して記載する）、車載ディスプレイ（センターディスプレイあるいはリアシートディスプレイ）などの車両に搭載された表示装置の表示を制御する表示制御装置、表示制御システムおよび車内表示制御方法に関する。
【背景技術】
【０００２】
例えば、特許文献１および特許文献２には、車両内で再生された音楽の曲調に合わせて車内照明を変化させる技術が開示されている。
また、特許文献３には、車内に限定されていないが、鑑賞対象となる画像に関する画像情報および音響データに関する音響情報のうちの少なくとも一方に基づいて作成された、画像情報あるいは音響情報の内容に関連する内容データに基づいて照明を制御する技術が記載されている。
【先行技術文献】
【特許文献】
【０００３】
【特許文献１】特開２０１１−１０５１６３号公報
【特許文献２】特開２０１３−１６９９６０号公報
【特許文献３】特開２００１−１１８６８９号公報
【発明の概要】
【発明が解決しようとする課題】
【０００４】
特許文献１および特許文献２に記載される発明では、車両内で再生された楽曲の曲調に合わせて車内照明の点灯パターンを変化させている。なお曲調は、一般的に、曲の速さ、リズムもしくはビートの強弱により規定される。しかしながら、曲調のみでは、その楽曲のイメージを正しく反映させることが困難である。例えば、激しい曲調であるが歌詞からは悲しいイメージとなる曲もあり、また類似した曲調であっても、春をイメージした曲もあれば冬をイメージした曲もある。
【０００５】
特許文献３では、鑑賞対象となる画像データあるいは音響データそのものを解析して、色情報、音響データ、画像データあるいは音響データの内容を示す内容データを抽出して保持している。このため、抽出したデータを保持するための記憶媒体あるいは記憶装置を用意する必要がある。また画像や音響データがどのような内容であるかを示す内容データをコンテンツが必ずしも有しているとは限らず、特許文献３に記載の発明を適用できない場合もある。さらに、画像情報からその内容を解析して抽出する処理は複雑な演算になるため、高性能な演算装置が必要となる。
【０００６】
この発明は、上記のような課題を解決するためになされたもので、車両内に搭載された表示装置の画面表示をコンテンツの印象に合わせて変更することができる表示制御装置、表示制御システムおよび車内表示制御方法を得ることを目的とする。
【課題を解決するための手段】
【０００７】
この発明に係る表示制御装置は、車両内に搭載された表示装置の表示を制御する表示制御装置であって、車両内で再生中のコンテンツの属性情報を抽出する属性情報抽出部と、属性情報からコンテンツの印象を表す印象語を抽出する印象語抽出部と、印象語とこれに対応する色情報が登録された色選択用データに基づいてコンテンツの印象語に対応する色情報を選択する色情報選択部と、印象語とこれに対応する画面デザインが登録されたスキン選択用データに基づいてコンテンツの印象語に対応する画面デザインを選択するスキン選択部と、色情報選択部に選択された色情報とスキン選択部に選択された画面デザインで表示装置の画面表示を変更する表示処理部とを備える。
【発明の効果】
【０００８】
この発明によれば、車両内に搭載された表示装置の画面表示をコンテンツの印象に合わせて変更することができるという効果がある。
【図面の簡単な説明】
【０００９】
【図１】この発明の実施の形態１に係る表示制御システムの構成を示すブロック図である。
【図２】実施の形態１に係る表示制御装置の動作を示すフローチャートである。
【図３】再生中のコンテンツの画像情報を用いた色調およびスキンの変更例を示す図である。
【図４】再生中のコンテンツに関する印象語を用いた色調およびスキンの変更例を示す図である。
【図５】この発明の実施の形態２に係る表示制御システムの構成を示すブロック図である。
【図６】実施の形態２に係る表示制御装置の動作を示すフローチャートである。
【発明を実施するための形態】
【００１０】
実施の形態１．
図１は、この発明の実施の形態１に係る表示制御システムの構成を示すブロック図である。図１に示す表示制御システム１は、車両に搭載されてＩＣ９やセンターディスプレイ１０などの車載用表示装置の表示動作を制御するシステムであり、属性情報抽出部２、色情報解析部３、情報検索部４、印象語抽出部５、色情報選択部６、スキン選択部７および表示画像結合部８を備える表示制御装置と、ＩＣ９およびセンターディスプレイ１０とを備えて構成される。車両にリアシートディスプレイが搭載されている場合には、この表示制御システム１でリアシートディスプレイの表示を制御してもよい。
【００１１】
属性情報抽出部２は、車両内で再生中のコンテンツの属性情報を抽出する。コンテンツとしては、車両内のオーディオ機器やメディア再生装置によって再生される音楽、映像、画像が挙げられる。属性情報は再生中のコンテンツの属性を示す情報であり、コンテンツデータに付加されている。例えば、コンテンツが音楽である場合、属性情報には、この楽曲を含むアルバムのアルバムジャケットイメージ、歌詞、ライナーノーツ、レビューなどがある。なお、属性情報抽出部２は、属性情報がアルバムジャケットイメージなどの画像情報である場合、この画像情報を色情報解析部３に出力する。
【００１２】
色情報解析部３は、コンテンツに関連する画像情報から色情報を解析する。例えば、画像情報における色彩の主成分を解析してそこに使用されている色情報（色彩の組み合わせ）を得る。画像情報には、アルバムジャケットイメージやコンテンツが映像である場合はその映像自体（例えばメニュー画面）がある。色情報解析部３は、これらの画像情報に使用されている色情報を解析する。色の解析方法には、統計的解析方法として様々な分野で応用されている主成分分析（ＰＣＡ；  Ｐｒｉｎｃｉｐａｌ  Ｃｏｍｐｏｎｅｎｔ  Ａｎａｌｙｓｉｓ）を利用してもよい。
【００１３】
情報検索部４は、コンテンツデータに属性情報が付加されていない場合に、コンテンツの属性情報を検索する。例えば、コンテンツタイトル（曲名、映画タイトルなど）を検索キーとしてＷｅｂサイトを検索し、コンテンツタイトルを含む属性情報（例えば、歌詞、ライナーノーツ、レビューなど）を取得する。
【００１４】
印象語抽出部５は、属性情報からコンテンツの印象を表す印象語を抽出する。印象語とは、形容詞や形容動詞、副詞などのコンテンツの印象を想起させる単語である。例えば、属性情報をテキスト検索して、予め定めた閾値を超える頻度で出現する単語や語句を印象語として抽出する。
【００１５】
色情報選択部６は、印象語とこれに対応する色情報が登録された色選択用データに基づいて、コンテンツの印象語に対応する色情報を選択する色情報選択部である。
色選択用データには、デザイン分野で広く知られているカラーイメージスケールを利用する。すなわち、色情報選択部６は、抽出された印象語を検索キーとしてカラーイメージスケールを検索し、この印象語に対応する色彩を選択する。例えば、コンテンツの印象語が“かわいらしい”であり、この印象語が赤やオレンジなどの暖色系でかつ淡いトーンの色彩に対応している場合、これらの色彩の組み合わせが選択される。
【００１６】
一方、色情報選択部６は、色情報解析部３によって画像情報から解析された色情報（色彩の組み合わせ）を入力した場合、この色情報をコンテンツの印象に合った色情報として選択する。さらに、色情報選択部６は、色選択用データを用いて画像情報から解析された色情報に対応する印象語を特定し、スキン選択部７に通知する。
このように画像の属性情報がある場合は、画像から得られた色情報を画面表示用に選択する。コンテンツに付加された画像情報（ジャケットイメージ、メニュー画面など）は、一般的に、制作者によりコンテンツの印象に合わせた画像が採用されている。このため、画像の属性情報がある場合にはその画像自体から色情報を得ることにより、コンテンツの印象に合った色情報を容易に得ることができる。
【００１７】
なお、色彩の組み合わせは印象語と関連があることが知られており、例えば参考文献１に示すように、印象語に対する絵画の検索といった研究が試みられている。
（参考文献１）八村広三郎、英保茂；“色彩分布と印象語に基づく絵画データの検索”，情報処理学会研究報告，人文科学とコンピュータ研究会報告９５（９１），３７−４４，１９９５−０９−１５．
【００１８】
スキン選択部７は、印象語とこれに対応する画面デザイン（スキン）が登録されたスキン選択用データに基づいてコンテンツの印象語に対応する画面デザインを選択する。
スキン選択用データは、予め作成した複数の画面デザインを印象語で対応するものごとに分類したデータである。例えば、画面が丸みを帯びた形状の表示部品で構成されたデザインについて“かわいらしい”という印象語を対応付ける。
なお、スキン選択部７は、上述したように印象語から自動的に画面デザインを選択する場合の他、手動モードが設定されている場合にはユーザによって予め指定された画面デザインを選択する。
【００１９】
表示画像結合部８は、色情報選択部６に選択された色情報（色彩の組み合わせ）とスキン選択部７に選択された画面デザインで、ＩＣ９およびセンターディスプレイ１０の画面表示を変更する表示処理部である。すなわち、表示画像結合部８は、色情報選択部６に選択された色彩の組み合わせでスキン選択部７に選択された画面デザインを彩色してＩＣ９およびセンターディスプレイ１０に表示する。
【００２０】
ＩＣ（インストルメントクラスタ）９は、車両のダッシュボードに配置されて、様々な車両の動作状態を表示する計器類を画像表示するディスプレイである。
またセンターディスプレイ１０は、運転席と助手席の前方でフロントガラスの下に配置されたディスプレイである。例えば、ナビゲーション装置の表示装置などが挙げられる。
【００２１】
なお、属性情報抽出部２、色情報解析部３、情報検索部４、印象語抽出部５、色情報選択部６、スキン選択部７および表示画像結合部８は、例えば、実施の形態１に特有な処理が記述されたプログラムをマイクロコンピュータが実行することにより、ハードウェアとソフトウェアとが協働した具体的な手段として実現することができる。
【００２２】
次に動作について説明する。
図２は、実施の形態１に係る表示制御装置の動作を示すフローチャートであり、車載の表示装置の画面表示を再生中のコンテンツの印象に合った色情報および画面レイアウトに変更する処理を示している。
まず、属性情報抽出部２は、再生中のコンテンツに画像情報が付加されているか否かを確認する（ステップＳＴ１）。例えば、コンテンツが音楽である場合、ジャケットイメージの有無を確認する。またコンテンツが映像（動画および静止画像）である場合、予め定めた映像の一部を色情報解析用の画像情報とする。
【００２３】
画像情報がある場合（ステップＳＴ１；ＹＥＳ）、属性情報抽出部２は、その画像情報を色情報解析部３へ出力する。色情報解析部３は、属性情報抽出部２から入力した画像情報における色彩の主成分を解析して（ステップＳＴ２）、この画像情報に使用されている色情報（色彩の組み合わせ）を得る。
例えば、再生中のコンテンツが音楽で図３（ａ）に示すジャケットイメージ１１が画像情報として得られた場合、色情報解析部３は、ジャケットイメージ１１の色彩の主成分を解析する。図３（ａ）は、この解析により、ジャケットイメージ１１の部分領域１１ａにおける金色、部分領域１１ｂにおける朱色、部分領域１１ｃにおける青色が色彩の主成分として特定された場合を示している。解析の結果として得られた色情報（金色、朱色、青色）は、色情報解析部３から色情報選択部６に出力される。
なお、色情報の解析は、上述したようにコンテンツを再生する度に画像情報を抽出してリアルタイムに行ってもよいが、コンテンツを再生する前に画像情報を予め解析して得られた色情報を保存しておき、この色情報をコンテンツの再生時に利用してもよい。
【００２４】
色情報選択部６は、色情報解析部３から入力した色情報を、現在再生中のコンテンツの印象に合った色情報として選択する。さらに、色情報選択部６は、カラーイメージスケール（色選択用データ）を参照してこの色情報に対応する印象語を特定し、スキン選択部７に通知する。図３（ａ）に示すジャケットイメージ１１の色彩は、青色を基調として金色、朱色が組み合わされており、寒色系でかつ濃いトーンである。この場合、カラーイメージスケールを参照することで、上記色情報に対応する印象語として例えば“アーバン”が特定される。
【００２５】
スキン選択部７は、現在設定されている動作モードが自動モードであるか手動モードであるかを確認する（ステップＳＴ３）。自動モードが設定されていれば、スキン選択部７は、スキン選択用データから印象語“アーバン”に対応する画面デザインを選択する。
色情報選択部６に選択された色情報およびスキン選択部７に選択された画面デザイン（スキン）は、スキン選択部７を介して表示画像結合部８に設定される（ステップＳＴ４）。手動モードが設定されていた場合、スキン選択部７は、ユーザによって予め指定された画面デザイン（スキン）を選択して表示画像結合部８に設定する（ステップＳＴ５）。
【００２６】
表示画像結合部８は、色情報選択部６に選択された色情報（色彩の組み合わせ）およびスキン選択部７に選択された画面デザインに基づいてＩＣ９およびセンターディスプレイ１０の画面表示を変更する（ステップＳＴ６）。
例えば、ＩＣ９には、図３（ｂ）に示すように、速度計１２、回転速度計１３、マルチメディアメニュー１４が画面９Ａに表示されている。ここで、画面９Ａの色彩は、青色を基調として金色と朱色から構成されており、画面９Ａのデザインは、印象語“アーバン”に対応して高層ビルや道路を連想させるシャープな形状の表示部品から構成されている。
【００２７】
また、センターディスプレイ１０には、図３（ｃ）に示すように、ジャケットイメージ１１と、楽曲のタイトル、アーティストおよび発売年からなる簡易情報１５が画面１０Ａに表示されている。画面１０Ａの色彩は、ＩＣ９と同様に、青色を基調として金色と朱色から構成されており、デザインもシャープな形状の表示部品から構成されている。
このように表示制御システム１が制御する全てのディスプレイを再生中のコンテンツの印象に合った画面表示に変更することにより、コンテンツ（音楽、映像など）との一体感が引き立つ。
【００２８】
一方、再生中のコンテンツに画像情報が付加されていなかった場合（ステップＳＴ１；ＮＯ）、属性情報抽出部２は、このコンテンツに画像以外の属性情報が付加されているか否かを確認する（ステップＳＴ７）。例えば、コンテンツが音楽である場合、歌詞、ライナーノーツ、レビューなどを抽出する。
【００２９】
画像以外の属性情報も付加されていない場合（ステップＳＴ７；ＮＯ）、属性情報抽出部２は、その旨およびコンテンツタイトル（曲名、映画タイトルなど）を情報検索部４に通知する。情報検索部４は、コンテンツタイトルを検索キーとして属性情報を検索する（ステップＳＴ８）。例えば、図４（ａ）に示すように、Ｗｅｂ上のデータベースを曲名をキーとして検索を行う。これによりコンテンツタイトルを含む属性情報（歌詞、ライナーノーツ、レビューなど）を取得する。情報検索部４は、検索により取得した属性情報を印象語抽出部５へ出力する。
【００３０】
コンテンツに画像以外の属性情報が付加されていた場合（ステップＳＴ７；ＹＥＳ）、属性情報抽出部２は、コンテンツから属性情報を抽出して印象語抽出部５へ出力する。
印象語抽出部５は、属性情報から印象語を抽出する（ステップＳＴ９）。例えば、属性情報をテキスト検索して予め定めた閾値を超える頻度で出現する単語や語句を印象語として抽出する。ここで、印象語として“かわいらしい”、“春の”、“ポップな”といった語が抽出されたものとする。
【００３１】
次に、色情報選択部６は、印象語とこれに対応する色情報が登録された色選択用データ（カラーイメージスケール）から、印象語抽出部５に抽出された印象語に対応する色情報を選択する（ステップＳＴ１０）。例えば、“かわいらしい”、“春の”、“ポップな”に対応する色情報として、桃色、橙色、臙脂色の組み合わせが選択される。
スキン選択部７は、自動モードが設定されていれば、スキン選択用データから、印象語“かわいらしい”、“春の”、“ポップな”に対応する画面デザインを選択する。
ステップＳＴ４において、色情報選択部６に選択された色情報およびスキン選択部７に選択された画面デザイン（スキン）は、スキン選択部７を介して表示画像結合部８に設定される。
【００３２】
ステップＳＴ６において、表示画像結合部８は、色情報選択部６に選択された色情報（色彩の組み合わせ）およびスキン選択部７に選択された画面デザインに基づいてＩＣ９およびセンターディスプレイ１０の画面表示を変更する。
例えば、図４（ｂ）に示すＩＣ９の画面９Ｂの色彩は、桃色、橙色、臙脂色から構成されており、画面９Ｂのデザインは、印象語“かわいらしい”、“春の”、“ポップな”に対応して丸みを帯びた形状の表示部品から構成されている。
また、図４（ｃ）に示すように、センターディスプレイ１０の画面１０Ｂには、楽曲のタイトル、アーティスト、発売年からなる簡易情報１５が表示されている。画面１０Ｂの色彩は、ＩＣ９と同様に桃色、橙色、臙脂色から構成されており、デザインも丸みを帯びた形状の表示部品から構成されている。
【００３３】
以上のように、この実施の形態１によれば、車両内で再生中のコンテンツの属性情報を抽出する属性情報抽出部２と、属性情報からコンテンツの印象を表す印象語を抽出する印象語抽出部５と、印象語とこれに対応する色情報が登録された色選択用データに基づいてコンテンツの印象語に対応する色情報を選択する色情報選択部６と、印象語とこれに対応する画面デザインが登録されたスキン選択用データに基づいてコンテンツの印象語に対応する画面デザインを選択するスキン選択部７と、色情報選択部６に選択された色情報とスキン選択部７に選択された画面デザインでＩＣ９やセンターディスプレイ１０などの画面表示を変更する表示画像結合部８とを備える。このようにコンテンツの属性情報から抽出した印象語に対応する色情報と画面デザインに基づいて画面表示を変更することにより、車載表示装置の画面表示をコンテンツの印象に合わせて変更することができる。
【００３４】
また、この実施の形態１によれば、属性情報を検索する情報検索部４を備え、印象語抽出部５が、情報検索部４に検索された属性情報から印象語を抽出する。コンテンツが属性情報を有していない場合であってもコンテンツに関連する属性情報を得ることができる。
【００３５】
さらに、この実施の形態１によれば、コンテンツに関連する画像情報から色情報を解析する色情報解析部３を備える。色情報選択部６は、色情報解析部３によって画像情報から解析された色情報を選択するとともに、色選択用データを用いて画像情報から解析された色情報に対応する印象語を特定する。スキン選択部７は、色情報選択部６によって特定された印象語に対応する画面デザインをスキン選択用データから選択する。このようにすることで、コンテンツの印象に合った色情報を容易に得ることができる。
【００３６】
なお、上記実施の形態１では、画面表示の色情報および画面デザインを変更する場合を示したが、これらに加えて、再生中のコンテンツの印象に合わせて画面の明るさ（明度）、コントラスト（彩度）、色温度を変更してもよい。
【００３７】
実施の形態２．
図５は、この発明の実施の形態２に係る表示制御システムの構成を示すブロック図である。図５に示す表示制御システム１Ａは、図１の構成に加えて運転状況判定部１６および変更方法決定部１７を備えており、図１の表示画像結合部８を表示画像結合部８ａに置換している。なお、属性情報抽出部２、色情報解析部３、情報検索部４、印象語抽出部５、色情報選択部６は図１と同様に機能するため、図５では記載を省略している。
【００３８】
表示画像結合部８ａは、変更方法決定部１７によって変更不可と決定された場合、表示装置の画面表示を変更せず、変更可と決定された場合には、変更方法決定部１７によって決定された変更方法で、色情報選択部６に選択された色情報およびスキン選択部７に選択された画面デザインに基づいて表示装置の画面表示を変更する。
【００３９】
運転状況判定部１６は、車両情報に基づいて車両の運転状況を判定する。例えば、車速センサ、カーナビゲーションシステム、運転支援装置と接続して車両情報を取得する。
車両情報には、車両の走行速度、車両の現在位置、車両が走行する道路の種別（高速道路、一般道路）、車両の走行場所における天候、時刻、車外の障害物の有無などが挙げられる。運転状況は、例えば、停車中、通常走行中、注意走行中のいずれかに分類されて、さらに車両の走行速度に応じて状況が判断される。なお、注意走行とは、運転者が注意しながら運転すべき走行状態である。例えば、車両の周囲に衝突可能性がある他車両や歩行者が存在する場合、交差点や、工事中、幅員減少箇所などの運転に注意すべき場所を走行している場合、天候が不調で走行場所の視界が悪い場合などが挙げられる。
【００４０】
変更方法決定部１７は、運転状況判定部１６に判定された運転状況に応じて、ＩＣ９やセンターディスプレイ１０などの表示装置における画面表示の変更可否と変更方法を決定する。変更方法としては、車両の運転状況に応じて画面表示を変更する速度や変更タイミングを変化させることが挙げられる。例えば、車両速度が閾値を超え、注意して運転すべき運転状況である場合、現在の画面表示からコンテンツの印象に合った色情報および画面デザインの画面表示へ遷移させる変更タイミングを予め定めた時間だけ遅らせる。これにより注意走行が終了したタイミングで変更することができる。あるいは、画面表示の変更が徐々に行われるように変更速度を遅くする。このようにすることで、急な画面表示の変更によって運転者の注意が散漫になることを防止できる。
また車両が停止している場合は、運転に注力しなくてよいため、画面表示の変更速度を速くしてもよい。
【００４１】
なお、属性情報抽出部２、色情報解析部３、情報検索部４、印象語抽出部５、色情報選択部６、スキン選択部７、表示画像結合部８ａ、運転状況判定部１６および変更方法決定部１７は、例えば、実施の形態２に特有な処理が記述されたプログラムをマイクロコンピュータが実行することで、ハードウェアとソフトウェアとが協働した具体的な手段として実現することができる。
【００４２】
次に動作について説明する。
図６は、実施の形態２に係る表示制御装置の動作を示すフローチャートであり、図６中の一連の処理が図２のノードＡに接続されてステップＳＴ６に替わって実行される。
ステップＳＴ４またはステップＳＴ５の処理が完了すると、ステップＳＴ１１の処理に移行する。ステップＳＴ１１において、運転状況判定部１６は、車両の現在の車両情報に基づいて、車両の運転状況が“停止中”、“通常走行中”および“注意走行中”のいずれであるかを判定する。例えば、車両の走行速度から停止しているかどうかを判定する。
また、車両内外の状況および予め定めた運転に注意すべき場所を走行しているかどうかに基づいて“注意走行中”であるかどうかを判定する。さらに、この注意走行以外の走行状態を通常走行と判定する。
【００４３】
現在の運転状況が“停止中”であると判定した場合、運転状況判定部１６は、その旨を変更方法決定部１７に通知する。変更方法決定部１７は、この通知を受けると、ＩＣ９およびセンターディスプレイ１０の画面表示を変更可と判断し、即時変更を決定する。
表示画像結合部８ａは、変更方法決定部１７によって変更可、即時変更と決定されると、色情報選択部６に選択された色情報およびスキン選択部７に選択された画面デザインに基づいてＩＣ９およびセンターディスプレイ１０の画面表示を直ちに変更する（ステップＳＴ１２）。
【００４４】
運転状況が“通常走行中”であると判定した場合、運転状況判定部１６は、その旨を変更方法決定部１７に通知する。変更方法決定部１７は、この通知を受けると、ＩＣ９およびセンターディスプレイ１０の画面表示を変更可と判断し、現在の車速に応じた速度で画面表示を変更するよう決定する。
表示画像結合部８ａは、変更方法決定部１７によって変更可、車速に応じた速度での変更と決定されると、色情報選択部６に選択された色情報およびスキン選択部７に選択された画面デザインに基づき、車速に応じた速度でＩＣ９およびセンターディスプレイ１０の画面表示を変更する（ステップＳＴ１３）。
例えば、車両が高速道路を走行している場合など、車両が予め定めた高速度範囲の走行を継続しているときは、画面表示が徐々に変更されるように、中速度範囲または低速度範囲の場合よりも変更速度を遅らせる。
【００４５】
車両の運転状況が“注意走行中”であると判定した場合、運転状況判定部１６は、その旨を変更方法決定部１７に通知する。変更方法決定部１７は、この通知を受けると、ＩＣ９およびセンターディスプレイ１０の画面表示を変更不可と決定する。
表示画像結合部８ａは、変更方法決定部１７によって変更不可と決定された場合、画面表示の変更を停止する（ステップＳＴ１４）。
ステップＳＴ１２からステップＳＴ１４までのいずれかの処理が完了すると、運転状況判定部１６は、車両の現在の走行速度、パーキングブレーキの使用有無およびイグニッションスイッチのオンオフから運転が終了したか否かを判定する（ステップＳＴ１５）。
【００４６】
運転が終了していないと判定した場合（ステップＳＴ１５；ＮＯ）、ステップＳＴ１１の処理に戻り、車両が運転されている間、上述した一連の処理を繰り返す。
運転が終了したと判定した場合（ステップＳＴ１５；ＹＥＳ）、処理を終了する。
【００４７】
以上のように、この実施の形態２によれば、車両情報に基づいて車両の運転状況を判定する運転状況判定部１６と、運転状況判定部１６に判定された運転状況に応じてＩＣ９やセンターディスプレイ１０などの表示装置における画面表示の変更可否と変更方法を決定する変更方法決定部１７とを備える。表示画像結合部８ａは、変更方法決定部１７に変更不可と決定された場合、表示装置の画面表示を変更せず、変更可と決定された場合には、変更方法決定部１７に決定された変更方法で、色情報選択部６に選択された色情報およびスキン選択部７に選択された画面デザインに基づいて表示装置の画面表示を変更する。
このように車両の運転状況に応じて画面表示の変更可否および変更方法を決定することから、実際の運転状況に応じて安全に画面表示を変更できる。
【００４８】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４９】
１，１Ａ  表示制御システム、２  属性情報抽出部、３  色情報解析部、４  情報検索部、５  印象語抽出部、６  色情報選択部、７  スキン選択部、８，８ａ  表示画像結合部、９  ＩＣ、９Ａ，９Ｂ，１０Ａ，１０Ｂ  画面、１０  センターディスプレイ、１１  ジャケットイメージ、１１ａ〜１１ｃ  部分領域、１２  速度計、１３  回転速度計、１４  マルチメディアメニュー、１５  簡易情報、１６  運転状況判定部、１７  変更方法決定部。
【図１】
2015182482.tif 000003
【図２】
2015182482.tif 000004
【図３】
2015182482.tif 000005
【図４】
2015182482.tif 000006
【図５】
2015182482.tif 000007
【図６】
2015182482.tif 000008